(57)【要約】      （修正有）【課題】自動復帰防塵蓋を有するデータソケットを提供する。【解決手段】自動復帰防塵蓋を有するデータソケット１は、データプラグを収容する収容空間１００を有する殻体１０と、該収容空間を覆うことに用いる防塵蓋１４と、該防塵蓋の側辺を該収容空間の側辺に枢着することに用いる枢着ユニット１６と、を含む。さらに、該データプラグは、該防塵蓋を元の位置から該収容空間内へ押し開け、該収容空間内に挿入することができ、該データプラグが該収容空間内から抜き出された後、該枢着ユニットが該防塵を該元の位置に自動復帰させ、該防塵蓋が該元の位置において該収容空間を覆う。【選択図】図２
0003180007.tif 000002
【実用新案登録請求の範囲】
【請求項１】
データプラグを収容する収容空間を有する殻体と、
該収容空間を覆うことに用いる防塵蓋と、
該防塵蓋の側辺を該収容空間の側辺に枢着することに用いる枢着ユニットと、
を含み、該データプラグは、該防塵蓋を元の位置から該収容空間内へ押し開け、該収容空間内に挿入されることができ、該データプラグが該収容空間内から抜き出された後、該枢着ユニットが該防塵を該元の位置に自動復帰させ、該防塵蓋が該元の位置において該収容空間を覆う自動復帰防塵蓋を有するデータソケット。
【請求項２】
該データプラグが電話プラグ又はネットワークプラグである請求項１に記載のデータソケット。
【請求項３】
前記枢着ユニットは、
該収容空間の該側辺の第１端点箇所に設置される第１スロットと、
該収容空間の該側辺の第２端点箇所に設置される第２スロットと、
該防塵蓋の該側辺の第１端点箇所に設置され、該第１スロット内に挿入できる第１凸点と、
該防塵蓋の該側辺の第２端点箇所に設置され、該第２スロット内に挿入できる第１凸点と、
該第１凸点上に被せ設けられ、該第１凸点一端が該第１スロット内に挿入されるバネと、を含む請求項１に記載のデータソケット。
【請求項４】
前記枢着ユニットは、
該収容空間の該側辺の第１端点箇所に設置される第１スロットと、
該収容空間の該側辺の第２端点箇所に設置される第２スロットと、
該防塵蓋の該側辺の第１端点箇所に設置され、該第１スロット内に挿入できる第１凸点と、
該防塵蓋の該側辺の第２端点箇所に設置され、該第２スロット内に挿入できる第１凸点と、
該第２凸点上に被せ設けられ、該第２凸点二端が該第２スロット内に挿入されるバネと、を含む請求項１に記載のデータソケット。
【請求項５】
前記防塵蓋上にガイド溝を含み、該データプラグが該防塵蓋を該元の位置から該収容空間内へ押し開ける時、該ガイド溝に沿って、該収容空間内に進入し、結合することができる請求項１又は請求項３又は請求項４の何れか１項に記載のデータソケット。
【請求項６】
前記防塵蓋は、該ガイド溝内部一側に形成されるラッチを含み、該データプラグの一画面上に弾性片を設置し、該弾性片は、フックを有し、該ラッチは、該データプラグを該収容空間内に挿入する時に、該データプラグのフックを係合することができる請求項５に記載のデータソケット。
【考案の詳細な説明】
【技術分野】
【０００１】
本考案は、データソケットに関し、且つ自動復帰防塵蓋を有するデータソケットに関する。
【背景技術】
【０００２】
電話プラグは、電話ソケットの収容空間内に挿入することができ、該電話プラグの金属接続ピンを該電話ソケットの該収容空間内に設置される金属接続ピンと電気接続させ、電話信号を伝送する。
【０００３】
しかしながら、該電話プラグが該電話ソケットの該収容空間内に挿入されていない時、該電話ソケットの該金属接続ピンは、空気中に露出されているので、灰塵又は湿気の侵害を極めて受け易く、その信号伝送能力に影響を及ぼす。
【先行技術文献】
【特許文献】
【０００４】
【特許文献１】特開平５−１０９２５４号公報
【考案の概要】
【考案が解決しようとする課題】
【０００５】
市場のメーカーは、手で移動させて操作する防塵蓋を世に出しており、該電話ソケットの防塵蓋は、しばしば完全にカバーすることができず、又は使用者が該電話ソケットを覆うように操作しておらずに防塵蓋の機能を喪失することがある。
【０００６】
従って、本分野では、上記問題を解決できるソケットを必要としている。
【課題を解決するための手段】
【０００７】
従来技術の問題を克服する為、本考案が提供する自動復帰防塵蓋を有するデータソケットは、データプラグを収容する収容空間を有する殻体と、該収容空間を覆うことに用いる防塵蓋と、該防塵蓋の側辺を該収容空間の側辺に枢着することに用いる枢着ユニットと、を含み、該データプラグは、該防塵蓋を元の位置から該収容空間内へ押し開け、該収容空間内に挿入されることができ、該データプラグが該収容空間内から抜き出された後、該枢着ユニットが該防塵を該元の位置に自動復帰させ、該防塵蓋が該元の位置において該収容空間を覆い、灰塵、湿気が該データプラグの収容空間に進入することを回避することができる。
【０００８】
本考案の実施例において、該防塵蓋上にガイド溝を含み、該データプラグが該防塵蓋を該元の位置から該収容空間内に向けて押し開ける時、該ガイド溝に沿って、該収容空間内に進入し、結合することができる。
【０００９】
本考案の実施例において、該防塵蓋は、該ガイド溝内部一側形成されるラッチを含み、該データプラグの一側面上に弾性片を設置し、該弾性片がフックを有し、該ラッチは、該データプラグが該収容空間内に挿入される時に該プラグのフックに係合することができる。
【考案の効果】
【００１０】
従来技術に比較し、本考案のデータソケット１が別途防塵蓋１４を有し、それは、該データプラグ２を抜き出し、データソケット１の収容空間１００から離脱させる時、該収容空間１００を自動的に覆うことができるので、使用後に防塵蓋１４は自動復帰して覆うことができ、該収容空間１００内に設置する金属接続ピンは、灰塵及び湿気の侵害受けることがなく、良好な信号伝送能力を維持することができる。また、本考案のデータソケット１の防塵蓋１４上にガイド溝１４１及びラッチ１４３を設置し、データプラグ２が該防塵蓋１４を押し開ける時に、該ガイド溝１４１に沿って、該収容空間１００に進入し易くし、該弾性片２１は、フック２３を有し、該ラッチ１４３は、該データプラグ２を該収容空間１００内に挿入する時に、該データプラグ２のフック２３に係合し、該データプラグ２を該収容空間１００内に安定して挿入させることができるようにする。
【図面の簡単な説明】
【００１１】
【図１】本考案の実施例中のデータソケットの説明図である。
【図２】図１が示す該データソケットの分解図である。
【図３】図１が示す該データソケットの収容空間内に該データプラグを挿入する時の説明図である。
【図４】図１の切断線ＡＡ’に沿って、該データソケットの該収容空間内に該データプラグを挿入していない説明図である。
【図５】図１の切断線ＡＡ’に沿って、該データソケットの該収容空間内に該データプラグを挿入中の断面図である
【図６】図１が示す該データソケットの収容空間内にデータプラグを挿入した側面透視図である。
【考案を実施するための形態】
【００１２】
図１〜図３を参照し、それは、それぞれ本考案の実施例中のデータソケット１の説明図、及び分解図、データソケット１が該収容空間１００内に該データプラグ２を挿入時の説明図である。該データソケット１は、殻体１０、防塵蓋１４、及び枢着ユニット１６を含む。
【００１３】
該殻体１０は、収容空間１００を有し、データプラグ２を挿入することに用いる。本考案の実施例において、該データプラグ２は、電話プラグ又はネットワークプラグであることができる。
【００１４】
該防塵蓋１４は、該収容空間１００を覆うことに用いる。
【００１５】
該枢着ユニット１６は、該防塵蓋１４の側辺１４０を該収容空間１００の側辺１０４に枢着することに用いる。本考案の実施例において、該データプラグ２は、該防塵蓋１４を元の位置から該収容空間１００内へ押し開け、続いて、該収容空間１００内に挿入することができ、該データプラグ２は、該収容空間１００内から抜き出した後、該枢着ユニット１６が該防塵蓋１４を該元の位置に自動復帰させ、該防塵蓋１４は、該元の位置において、該収容空間１００を覆うことができ、灰塵、湿気が該データソケット２の収容空間１００に進入することを回避する。
【００１６】
本考案の実施例において、該枢着ユニット１６は、第１スロット１６１、第２スロット１６２、第１凸点１６３、第２凸点１６４、及びバネ１６５を含み、そのうち、該第１スロット１６１は、該収容空間１００の該側辺１０４の第１端点１０４２箇所に設置される。該第２スロット１６２は、該収容空間１００の該側辺１０４の第２端点１０４４箇所に設置される。該第１凸点１６３は、該防塵蓋１４の該側辺１４０の第１端点１４０２箇所に設置され、該第１スロット１６１内に挿入できる。該第２凸点１６４は、該防塵蓋１４の該側辺１４０の第２端点１４０４箇所に設置され、該第２スロット１６２内に挿入できる。該バネ１６５は、該第１凸点１６３上に被せ設けられ、該第１凸点１６３と併せて該第１スロット１６１内に挿入される。このように、該データプラグ２が該収容空間１００内から抜き出された後、該バネ１６５は、該防塵蓋１４を該元の位置に復帰させ、該防塵蓋１４に該収容空間１００（図１参照）を覆わせ、灰塵、湿気が該データプラグ２の収容空間１００に進入することを回避し、且つ該組み立てた防塵蓋は、該データソケット１から離脱して遺失することがないようにする。
【００１７】
本考案の実施例において、該枢着ユニット１６は、
該収容空間１００の該側辺１０４の第１端点１０４２箇所に設置される第１スロット１６１と、
該収容空間１００の該側辺１０４の第２端点１０４４箇所に設置される第２スロット１６２と、
該防塵蓋１４の該側辺１４０の第１端点１０４２箇所に設置され、該第１スロット１６１内に挿入できる第１凸点１６３と、
該防塵蓋１４の該側辺１４０の第２端点１０４４箇所に設置され、該第２スロット１６２内に挿入できる第１凸点１６４と、
該第２凸点１６４上に被せ設けられ、該第２凸点１６４二端は、該第２スロット１６２内に挿入されるバネ１６５（図示せず、当業者は、上例から理解し、実施することができ、別途詳細を記載しない）と、を含む。
【００１８】
本考案を明確に理解する為、図４〜図６を参照し、それは、それぞれ図１の切断線ＡＡ’に沿って、該データソケット１の該収容空間１００内に該データプラグ２を挿入していない、挿入中である、該データプラグを該データソケット１に挿入したことを示す図である。該防塵蓋１４上にガイド溝１４１を含み、該データプラグ２は、該防塵蓋１４を該元の位置から該収容空間１００内に押し開ける時、該ガイド溝１４１に沿って、該収容空間１００内に進入して結合することができ、実施例において、該ガイド溝１４１は、該防塵蓋１４表面内に凹陥し、該データプラグ２が該収容空間１００内に円滑に滑り込み、固定されるよう誘導することができる。
【００１９】
該防塵蓋が、更に、該ガイド溝１４１内部一側に形成されるラッチ１４３を含む。該データプラグ２の一側面上にバネ２１を設置し、該弾性片２１は、フック２３を有し、該ラッチ１４３は、該データプラグ２を該収容空間１００内に挿入する時、該データプラグ２のフック２３に係合し、該データプラグ２を固定することができ、本実施例図中、該フック２３は、該ラッチ１４３の位置に対応して弾性片２１両側に形成される。
【００２０】
従来技術に比較し、本考案のデータソケット１が別途防塵蓋１４を有し、それは、該データプラグ２を抜き出し、データソケット１の収容空間１００から離脱させる時、該収容空間１００を自動的に覆うことができるので、使用後に防塵蓋１４は自動復帰して覆うことができ、該収容空間１００内に設置する金属接続ピンは、灰塵及び湿気の侵害受けることがなく、良好な信号伝送能力を維持することができる。また、本考案のデータソケット１の防塵蓋１４上にガイド溝１４１及びラッチ１４３を設置し、データプラグ２が該防塵蓋１４を押し開ける時に、該ガイド溝１４１に沿って、該収容空間１００に進入し易くし、該弾性片２１は、フック２３を有し、該ラッチ１４３は、該データプラグ２を該収容空間１００内に挿入する時に、該データプラグ２のフック２３に係合し、該データプラグ２を該収容空間１００内に安定して挿入させることができるようにする。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１  データソケット
２  データプラグ
１０  殻体
１４  防塵蓋
１６  枢着ユニット
２１  弾性片
２３  フック
１００  収容空間
１０４，１４０  側辺
１４１  ガイド溝
１４３  ラッチ
１６１  第１スロット
１６２  第２スロット
１６３  第１凸点
１６４  第２凸点
１６５  バネ
１０４２，１４０２  第１端点
１０４４，１４０４  第２端点
【図１】
0003180007.tif 000003
【図２】
0003180007.tif 000004
【図３】
0003180007.tif 000005
【図４】
0003180007.tif 000006
【図５】
0003180007.tif 000007
【図６】
0003180007.tif 000008